(57)【要約】【課題】  舞台の間口の広狭を可能にする間口壁たる壁体が舞台の間口の幅と同じ長さのバトンに吊持されても間口の全面的な開口を可能にする。【解決手段】  舞台Ｓの上方にあって軸線方向が舞台Ｓの間口方向に沿うように配在されるバトン１と、このバトン１に保持される吊り手段２と、この吊り手段２に吊持されて移動時に舞台Ｓの間口Ａを広狭する壁体３とを有し、この壁体３が下端部にこの壁体３の下端を対向させる舞台床Ｆに対して下端の高さ位置を維持する支持手段４を有してなる。【選択図】  図１
2010022636.tif 000002
【特許請求の範囲】
【請求項１】
舞台の上方にあって軸線方向がこの舞台の間口方向に沿うように配在されるバトンと、このバトンに保持される吊り手段と、この吊り手段に吊持されて移動時に上記の舞台の間口を広狭する壁体とを有し、この壁体が下端部にこの壁体の下端を対向させる舞台床に対して下端の高さ位置を維持する支持手段を有してなることを特徴とする可動間口壁構造。
【請求項２】
上記の吊り手段が上記のバトンに連結される上方レールと、上記の壁体に連結される下方レールと、上記の上方レールに移動可能に連繋しながら上記の壁体に連結される一方スライダと、上記の上方レールに移動可能に連繋しながら上記の下方レールに移動可能に連繋する他方スライダとを有してなる請求項１に記載の可動間口壁構造。
【請求項３】
上記の支持手段が上記の壁体に昇降可能に保持されてなる請求項１に記載の可動間口壁構造。
【請求項４】
上記の支持手段が上記の舞台床に対して転動する転動手段を有してなる請求項１に記載の可動間口壁構造。
【請求項５】
上記の舞台床に上記の舞台の間口方向に沿うガイドレールが配設されると共に、このガイドレールに上記の壁体の下端あるいは下端部が連繋されてなる請求項１に記載の可動間口壁構造。
【請求項６】
上記の舞台床に上記の舞台の間口方向に沿う敷きレールが配設されると共に、この敷きレールに上記の支持手段が着座可能とされてなる請求項１に記載の可動間口壁構造。
【請求項７】
上記の壁体が上記の舞台の間口を両側から広狭する一対とされてなる請求項１に記載の可動間口壁構造。
【発明の詳細な説明】
【技術分野】
【０００１】
この発明は、可動間口壁構造に関し、特に、劇場などの舞台にあって舞台の間口方向に移動して舞台の間口を広狭する間口壁たる壁体を有してなる可動間口壁構造の改良に関する。
【背景技術】
【０００２】
劇場などの舞台にあって舞台の間口方向に移動して舞台の間口を広狭する間口壁たる壁体を有してなる可動間口壁構造としては、たとえば、特許文献１にプロセニアムとしての開示がある。
【０００３】
すなわち、この特許文献１に開示の提案にあっては、本体たるプロセニアムが可動構造の壁体を有し、したがって、この壁体を舞台上で、すなわち、舞台の床上でスライド移動させることで、舞台の間口を広狭できる。
【０００４】
しかし、この文献１の開示の提案にあっては、不使用時のプロセニアムの格納が舞台の奥側への移送、すなわち、スライド移動によるので、利用可能とされる舞台の有効面積を狭くする不具合がある。
【０００５】
一方、特許文献としての明確な開示はないが、事実上利用されている可動間口壁構造の多くは、たとえば、特許文献２に開示されているようなバトン装置を利用し、また、特許文献３に開示されているような技術で間口壁たる壁体を吊持している。
【０００６】
すなわち、先ず、バトン装置は、特許文献２に開示されているように、天井から昇降可能に垂下されるバトンを有し、このバトンは、沿革的には、いわゆる単管からなったが、近年では、強度が向上されたトラス状体などからなる。
【０００７】
そして、このバトンに照明器具や音声器具などを直接保持させずして、同じく特許文献２に開示されているように、フレーム状体を連続させてなるブリッジを吊持させ、このブリッジに照明器具や音声器具などを保持させている。
【０００８】
そして、バトンは、本来、種々のものを吊持し、また、最近のバトンにあっては、いわゆる頑丈に形成されるから、間口壁たる壁体を吊持することも可能になり、このとき、壁体が特許文献３に開示の技術で吊持される。
【０００９】
すなわち、特許文献３には、吊り戸構造が開示されており、吊り戸は、適宜の手段で適宜の高さに配設されるレールにローラなどを連繋した吊り手段の介在下に吊持されている。
【００１０】
それゆえ、特許文献２および特許文献３に開示の技術を組み合せて、事実上実施されている可動間口壁構造にあっては、劇場などの舞台にあって舞台の間口方向に間口壁たる壁体を移動して舞台の間口を広狭し得る。
【特許文献１】特開平１０‐２４９０６９公報（明細書中の段落０００２，同０００３，同００２２，図２参照）
【特許文献２】特開平９‐２６５８０４公報（要約，明細書中の段落０００２，図１，図２参照）
【特許文献３】特開平７‐２１７３０２公報（明細書中の段落０００１，同００２５から００２７，図５，図７参照）
【発明の開示】
【発明が解決しようとする課題】
【００１１】
しかしながら、上記した事実上実施されている可動間口壁構造にあっては、いわゆる公知であり公用のであることを度外視して、発想として見るべきものがあるとしても、いわゆる実施可能性に劣ると指摘される可能性がある。
【００１２】
すなわち、バトンを有するバトン装置は、多くの場合に、舞台の間口方向に間口の幅を大きく超えて舞台の両側部となる袖にまで及ぶ長さを有するように形成されるが、ときとして、劇場の規模などから、舞台の間口の幅を大きく超える長さを有するバトン装置を設けられない場合がある。
【００１３】
たとえば、舞台の上方にあってバトン装置を吊持する空間が舞台の間口とほぼ同じ幅になる中央部分にあり、間口を言わば挟んで舞台の両側部となる袖の上方にバトン装置を吊持する空間がない場合がある。
【００１４】
このような場合には、バトンの長さが舞台の間口の幅とほぼ同じになり、したがって、このバトンに吊持される壁体は、いわゆるバトンの長さ分しか移動できず、たとえば、壁体を最後退させて間口を全面的に開口させようとしても、壁体が間口を全面的に開口させるまで移動できないから、間口の全面的な開口を実現できなくする不具合を招く。
【００１５】
この発明は、このような現状を鑑みて創案されたものであって、その目的とするところは、舞台の間口の広狭を可能にする間口壁たる壁体が舞台の間口の幅とほぼ同じ長さのバトンに吊持されても間口の全面的な開口を可能にし、その汎用性の向上を期待するのに最適となる可動間口壁構造を提供することである。
【課題を解決するための手段】
【００１６】
上記した目的を達成するために、この発明による可動間口壁構造の構成を、基本的には、舞台の上方にあって軸線方向がこの舞台の間口方向に沿うように配在されるバトンと、このバトンに保持される吊り手段と、この吊り手段に吊持されて移動時に上記の舞台の間口を広狭する壁体とを有し、この壁体が下端部にこの壁体の下端を対向させる舞台床に対して下端の高さ位置を維持する支持手段を有してなるとする。
【発明の効果】
【００１７】
それゆえ、この発明にあっては、舞台の間口方向に沿うように配在のバトンが保持する吊り手段に移動可能に吊持されて移動時に舞台の間口を広狭する壁体が下端部にこの壁体の下端を対向させる舞台床に対して下端の高さ位置を維持する支持手段を有するから、この支持手段が舞台床に着座するとき、この支持手段を介して壁体の下端が所定の高さ位置に維持される。
【００１８】
したがって、支持手段によって下端が所定の高さ位置に維持される壁体にあっては、この支持手段を下端部に有する上端部が吊り手段に吊持されていなくても、所定の起立状態を維持できる。
【００１９】
その結果、壁体は、バトンの長さが充分でなくても最後退でき、このとき、壁体の端部などの一部を間口に露呈させることなくして、舞台の間口の全面的に開口を可能にする。
【発明を実施するための最良の形態】
【００２０】
以下に、図示した実施形態に基づいて、この発明を説明するが、この発明による可動間口壁構造は、図１および図２に示すように、舞台Ｓ（図２参照）の上方にあって軸線方向が図１中の左右方向となる舞台Ｓの間口方向に沿うように配在されるバトン１と、このバトン１に保持される吊り手段２と、この吊り手段２に吊持されて移動時に舞台Ｓの間口Ａ（図１参照）を広狭する間口壁たる壁体３とを有し、この壁体３が下端部にこの壁体３の下端を対向させる舞台床Ｆ（図２参照）に対して下端の高さ位置を維持する支持手段４を有してなる。
【００２１】
なお、図１は、図２中の左側たる客席Ｇから見る舞台Ｓの縦断面を示し、以降の説明上、客席Ｇからは見えない舞台の袖Ｓ１を表示し、また、図２は、舞台Ｓの中央部分の縦断面を示している。
【００２２】
また、図示する舞台Ｓは、たとえば、劇場に形成され、舞台床Ｆから一段下がったところに上記の客席Ｇが設けられ、舞台Ｓの中央部分の天井付近から多数のバトン１が垂下されている。
【００２３】
すなわち、図示しないが、この種の舞台Ｓにおける天井の直下には、多くの場合に、平面視を格子状などにする簀の子が設けられ、この簀の子に保持されるようにバトン装置が設けられ、このバトン装置が簀の子上に配設される駆動源と、この駆動源から引き出され、あるいは、巻き取られる索条、たとえば、鋼索１１（図１および図３参照）と、この鋼索１１に直接連結され、あるいは、図示するように、プーリ１２（図１および図３参照）の介在下に吊持されるバトン１とを有してなる。
【００２４】
また、バトン１は、その利用の際に所定の高さ位置まで下げられ、たとえば、図２中の右側となる舞台Ｓの奥壁Ｗの手前に前後に並ぶ三本のバトン１には、図示しないが、ホリゾント幕や大道具あるいは小道具や照明器具などが吊持される。
【００２５】
ちなみに、図示するところでは、バトン１は、舞台Ｓの中央部分の上方に図１中で左右となる側壁Ｗ１で画成されるエリア内で昇降するとしており、したがって、天井が舞台Ｓの中央部分の天井より低くなる袖Ｓ１の上方にはバトン１が臨在されない。
【００２６】
ところで、バトン１は、上記したように、バトン装置を構成し、また、前記したように、沿革的には、いわゆる単管で構成されたが、近年では、図３に示すように、上方型材１ａと下方型材１ｂとを斜材１ｃで連結したトラス状体などからなる。
【００２７】
一方、壁体３は、その利用によって、間口Ａの大きさを規制するもので、多くの場合に左右の一対とされ、一方のみの移動あるいは両方の移動で客席Ｇからの間口Ａを介しての舞台Ｓの視野を広狭する。
【００２８】
それゆえ、壁体３は、舞台Ｓの視野を広狭する限りには、任意に構成されて良いが、好ましくは、後述する支持手段４によって舞台床Ｆに支えられて起立することからして、自己支持性を有するなど所定に機械的強度を有し、また、舞台Ｓ上の作業者の手動操作による移動を妨げない重量を有するように構成されるのが良い。
【００２９】
この観点から、壁体３は、多くの場合に、図４に示すように、上方材３ａ、下方材３ｂ、中間材３ｃ、側材３ｄ、斜材３ｅおよび補強材３ｆを有するフレーム構造体に形成され、このフレーム構造体の客席Ｇに対向する面には化粧材３ｇ（図  参照）を展設させ、上端にこのフレーム構造体を一体に保持する基梁３１を有してなる。
【００３０】
以上のように形成される壁体３は、前記したバトン１に吊持されるが、このとき、この発明による可動間口壁構造にあっては、図１および図２に示すように、吊り手段２の介在下にバトン１に吊持される。
【００３１】
そこで、この吊り手段２について、少し説明すると、先ず、この吊り手段２は、壁体３の移動を実現し得る限りには、任意に形成されて良く、したがって、種々の提案をなし得る。
【００３２】
一方、吊り手段２は、図１に示すように、バトン１の全長に亙る長さには形成されず、バトン１の左右部分となるいわゆる必要な箇所においてのみバトン１および壁体３に連結されるとし、図５に示すように、バトン１に連結される上方レール２１，２２と、壁体３に連結される下方レール２３とを有すると共に、図６に示すように、上方レール２１に移動可能に連繋しながら壁体３に連結される一方スライダ２４と、上方レール２２に移動可能に連繋しながら下方レール２３に移動可能に連繋する他方スライダ２５とを有してなる。
【００３３】
ちなみに、上方レール２１，２２は、図示するところに代えて、一体に形成されても良いが、図示するように、いわゆる分断される場合には、部材コストの点からだけでなく、図示しないが、上方レール２１，２２とスライダ２４，２５との間にストッパ構造を設け得る点で有利となる。
【００３４】
なお、図５は、図１中で右側となる吊り手段２のみを示し、図１中で左側となる吊り手段２については、図示しないが、右側の吊り手段２と線対称にして同様の構成からなる。
【００３５】
ところで、吊り手段２を構成する上方レール２１，２２は、図６に示すように、バトン１の下方材１ｂに連結され、これによって、吊り手段２がバトン１の延在方向に沿うように配在され（図１参照）、また、下方レール２３は、壁体３の基梁３１に連結され、これによって、壁体３が吊り手段２に移動可能に吊持される。
【００３６】
そして、一方スライダ２４は、上方レール２１に移動可能に連繋すると共に壁体３の基梁３１に対して同一形状に形成されるスペーサ３１ａを介して一体的に連結され、他方スライダ２５は、上方レール２２に移動可能に連繋すると共に下方レール２３に移動可能に連繋している。
【００３７】
それゆえ、上記のように形成された吊り手段２にあっては、壁体３が図５中に仮想線図で示すように移動して舞台Ｓの間口Ａを狭くする場合には、一方スライダ２４が壁体３と共に上方レール２１を移動し、このとき、他方スライダ２５は、上方レール２２を移動すると共下方レール２３を移動する。
【００３８】
それに対して、上記の左行状態から、図５に示すように、壁体３を図中で右行して舞台Ｓの間口Ａを広くする場合には、一方スライダ２４は、上方レール２１を移動するが、他方スライダ２５は、上方レール２２を移動した後は、この上方レール２２に対して移動し得ない。
【００３９】
しかし、この他方スライダ２５は、下方レール２３に対して移動し得るから、すなわち、下方レール２３の移動を許容するから、壁体３は、図示するように、バトン１が配設されていない部位までその側端部を移動させる、すなわち、張り出すことが可能とされる。
【００４０】
その結果、図示しないが、バトン１が舞台Ｓの間口Ａの幅よりやや大きい長さを有する程度に形成され、したがって、このバトン１の長さ分だけ壁体３が移動し得るとする設定の場合には、たとえば、図１中の左側に示すように、壁体３が舞台Ｓの間口Ａを全面的に開口させるように言わば完全に後退できない事態を招来する。
【００４１】
しかしながら、図示したこの発明による可動間口壁構造にあっては、吊り手段２がバトン１の長さに拘わりなく、壁体３のいわゆる張り出しを許容するから、壁体３が舞台Ｓの間口Ａを全面的に開口することが可能になる。
【００４２】
ところで、この発明にあっては、上記のようにしてバトン１がない下方にまで側端部を張り出すことになる壁体３にあっては、バトン１がない、すなわち、言わばレールを有する吊り手段２が関与しない側端部における、たとえば、バトン１の撓みなどに起因する下降現象の発現が危惧される。
【００４３】
そして、実際に壁体３の側端部が下降する場合には、壁体３が傾斜して舞台床Ｆに立設される外観を呈し、したがって、客席Ｇの観者に不快感や違和感を与えるので、この傾斜現象が発現されないように配慮されることを要す。
【００４４】
そして、壁体３における傾斜現象を発現させない方策としては、任意の構成を選択できるが、図示するところでは、支持手段４によって、壁体３の傾斜を阻止するとしている。
【００４５】
すなわち、この支持手段４は、図７に示すように、壁体３の下端部に昇降可能に保持されるブラケット４１を有すると共に、このブラケット４１に転動手段４２を有し、図中に仮想線図で示すように、下降状態におかれるとき、転動手段４１が舞台床Ｆに着座して、壁体３の下端部を所定の高さ位置より下降させないように機能すると共に、壁体３がその幅方向たる軸線方向に移動し得るように機能する。
【００４６】
ちなみに、支持手段４が本来的に機能するところは、壁体３の舞台床Ｆに対する下端位置を維持することにあるから、この観点からすれば、支持手段４が転動手段４２を有しなくても良いと言い得る。
【００４７】
ただ、壁体３は、その移動で舞台Ｓの間口Ａを広狭するから、移動可能に構成されるのが肝要になり、したがって、下端が舞台床Ｆにいわゆる干渉する状態になる場合でも、その移動が容易になるようにする上からは、上記の転動手段４２を有する方が好ましいと言い得る。
【００４８】
なお、転動手段４２としては、所定の転動性能が得られる限りには、任意の構成が選択されて良く、図示するように、径の小さいローラが多数整列されるとしても良く、また、図示しないが、径の大きい単一のローラを有してなるとしても良い。
【００４９】
以上のように、この発明による可動間口壁構造にあっては、舞台Ｓの間口方向に沿うように配在のバトン１が保持する吊り手段２に移動可能に吊持されて移動時に舞台Ｓの間口Ａを広狭する壁体３が下端部にこの壁体３の下端を対向させる舞台床Ｆに対して下端の高さ位置を維持する支持手段４を有するから、この支持手段４が舞台床Ｆに着座するとき、この支持手段４を介して壁体３の下端を所定の高さ位置に維持し得る。
【００５０】
それゆえ、支持手段４によって下端が所定の高さ位置に維持される壁体３にあっては、この支持手段４を下端部に有する上端部が吊り手段２に吊持されていなくても、所定の起立状態を維持できることになる。
【００５１】
したがって、壁体３は、バトン１の長さが充分でなくても最後退でき、このとき、壁体３の端部などの一部を間口Ａに露呈させることなくして、舞台Ｓの間口Ａの全面的に開口を可能にすることになる。
【００５２】
以上のように形成された支持手段４にあっては、壁体３の側端部が上方にバトン１のない部位にまで張り出す状態になるときに、舞台床Ｆに対する下端の高さ位置を設定通りに維持して壁体３の傾斜を防止するが、その移動時には、ブラケット４１を上昇させて転動手段４２を舞台床Ｆから離脱させる方がいわゆる抵抗が少なくなり、作業者に移動よる移動操作を容易にする。
【００５３】
上記したところに加えて、この発明の可動間口壁構造にあっては、詳しくは図示しないが、図８に示すように、舞台床Ｆに舞台Ｓの間口方向に沿うガイドレール５が配設されると共に、このガイドレール５に壁体３の下端部が連繋されるとしている。
【００５４】
すなわち、図８（Ａ）に示すガイドレール５にあっては、上方に向けて適宜の長さに起立する本体部５１を有し、この本体部５１には、壁体３の下端部に保持されているブラケット３２が連繋している。
【００５５】
それゆえ、壁体３の下端部が舞台床Ｆに配設のガイドレール５に連繋する場合には、壁対３の下端が図２中で左右方向となる舞台Ｓの奥行き方向に揺動することがなく、安定した間口壁を設けることが可能になり、このことからすると、壁体３の下端部がガイドレール５に連繋することに代えて、図示しないが、壁体４の下端がガイドレール５に連繋するとしても良い。
【００５６】
図８（Ｂ）に示すところは、図８（Ａ）に示すガイドレール５と同様に舞台床Ｆに配設されるガイドレール５が本体部５１に連設される敷きレール部５２を有してなり、この敷きレール部５２に、すなわち、敷きレールに前記した支持手段４の、すなわち、支持手段４における転動手段４２の着座を可能にしている。
【００５７】
それゆえ、この図８（Ｂ）に示す実施形態の場合には、一つの部材でガイドレールと敷きレールを設けることが可能になる転で有利となる。
【００５８】
前記したところは、この発明が間口Ａを広狭する間口壁たる壁体３を有する舞台Ｓに具現化されるとして説明したが、この発明が意図するところは、凡そ壁体３を移動させるものである限りには、その具現化が可能になり、たとえば、建築工事現場の出入り口に設けられる架設扉に具現化されたり、建築物の屋内に設けられる吊り戸に具現化されたりするのを妨げない。
【図面の簡単な説明】
【００５９】
【図１】この発明による可動間口壁構造を具現化した舞台を客席側から見た状態で示す縦断面図である。
【図２】図１に対して奥行き方向で示す舞台の中央部分の縦断面図である。
【図３】バトン装置を一部断面で示す側面図である。
【図４】壁体を骨格で示す部分正面図である。
【図５】吊り手段を正面側から示す全体図である。
【図６】吊り手段を一部断面で示す側面図である。
【図７】支持手段を示す図である。
【図８】壁体の下端部とが舞台床に連繋する状態を示す部分図である。
【符号の説明】
【００６０】
１  バトン
２  吊り手段
３  壁体
４  支持手段
５  ガイドレール
２１，２２  上方レール
２３  下方レール
２４  一方スライダ
２５  他方スライダ２５  
４２  転動手段
Ａ  間口
Ｆ  舞台床
Ｓ  舞台
【図１】
2010022636.tif 000003
【図２】
2010022636.tif 000004
【図３】
2010022636.tif 000005
【図４】
2010022636.tif 000006
【図５】
2010022636.tif 000007
【図６】
2010022636.tif 000008
【図７】
2010022636.tif 000009
【図８】
2010022636.tif 000010